(57)【要約】【課題】  作業性が良く、誰でも簡単、且つ、迅速に取り付けが出来、構造が単純で壊れ難く、経済的なクリップ式床面コンクリートレベル調整具を開発・提供する事にある。【解決手段】  内面部に粘着部材をそれぞれ貼着し、支点を中心に回動開閉させて縦筋部に固着する把持部と、把持部下端部の左右対称に位置し、且つ、片方の幅寸法を狭めて設けた把持部開閉用取手部と、取手部解放時に把持部を自然保持可能にする為、左右取手部間に連結係止して設けた弾性部材と、把持部の自然解放を防止する為、一方の取手裏面部に複数の係止用突起部をそれぞれ設け、且つ、他方の取手裏面部に上下移動可能な固定部材を固着して設けた把持部自然解放防止用開閉式固定部材と、幅広取手付根部の把持部長手方向に並設したレベル表示から成り、且つ、使用時は幅広取手側面部がコンクリート床面レベルに適合する様調整しながら、把持部を縦筋部に係止・固定して使用するもの。【選択図】  図４
0003121330.tif 000002
【実用新案登録請求の範囲】
【請求項１】
家屋等の壁面に位置する縦筋に係止・固定して使用するレベル調整具であって、該レベル調整具（１）は、内面部に両面テープ等の粘着部材（１ｃ’）（１ｄ’）をそれぞれ貼着し、支点（Ｐ）を中心に回動開閉させて縦筋（ＲＥ１）部に固着する把持部（１ｃ）（１ｄ）と、把持部（１ｃ）（１ｄ）下端部の左右対称に位置し、且つ、片方の幅寸法を狭めて設けた把持部開閉用取手部（１ａ）（１ｂ）と、取手部解放時に把持部（１ｃ）（１ｄ）を自然保持可能にする為、左右取手部間に連結係止して設けた弾性部材（１ｆ）と、把持部の自然解放を防止する為、一方の取手裏面部に複数の係止用突起部（１ｈ）をそれぞれ設け、且つ、他方の取手裏面部に上下移動可能な固定部材（１ｇ）を固着して設けた把持部自然解放防止用開閉式固定部材（１ｇ）と、幅広取手付根部の把持部（１ｃ）長手方向に並設したレベル表示（１ｅ）から成り、且つ、使用時は幅広取手側面部（１ａ’）がコンクリート床面レベル（ＣＬ）に適合する様調整しながら、把持部（１ｃ）（１ｄ）を縦筋部（ＲＥ１）に係止・固定して使用する事を特徴とするクリップ式床面コンクリートレベル調整具。
【考案の詳細な説明】
【技術分野】
【０００１】
この考案は、家屋等の壁面に位置する縦筋に係止・固定して使用するクリップ式床面コンクリートレベル調整具に関するものである。
【背景技術】
【０００２】
従来、鉄筋コンクリート建造物の施工において、コンクリート打設時に、スラブ面を所定の位置にて水平面に仕上げる必要があった。
【０００３】
そして、打設前に、床型枠の上面に鉄筋を配筋し、延設部の要所要所に水平器等をもって測定し、印を施したり、スラブ面に所定の高さ寸法のコンクリート固まりを置いたり、又は、所定の高さ寸法の治具を釘等にて固定して突設したりしていた。
【０００４】
しかし、コンクリート打設時に、作業者がコンクリート固まりや、所定の高さ寸法の治具を誤って蹴り飛ばす事があり、見え難い事もあった。更に、係止アームは下方から組み付け鉄筋を係止するものであり、セットし難く、又、この係止アームの底部に触れる結果、このレベル調整具が傾いたり、破損したりして、用を成さないという欠点があった。
【０００５】
更に、この調整具は、コンクリート内に埋め殺しと成る為、コンクリートを打設し、養生した後、床型枠を取り外した際、差し込み釘がコンクリートから突出しており、この突出部をカットしていたが、湿気等が出て、天井面が汚れるという欠点もあった。
【０００６】
そこで、上記問題を解決する為に発明されたのが特開２００４−１５０２２３のレベル調整具である。ところが、この発明の新たな問題点としてあがったのが作業性の問題である。コンクリートのレベル調整具の取付作業は男性に限らず女性が行う事もあり、特に女性の場合、力不足により作業がし辛いという事が判り、それらを解決する為の更なる解決策が望まれている。
【０００７】
上記以外のこれまでに出願されたレベル調整具の特許文献を参考の為、紹介する。（特許文献１〜２参照。）
【特許文献１】特開２００３−２４７３４５
【特許文献２】実用新案登録第３１１８７４１号
【考案の開示】
【考案が解決しようとする課題】
【０００８】
そこで、上記課題を解決する為に、この考案は作業性が良く、誰でも簡単、且つ、迅速に取り付けが出来、構造が単純で壊れ難く、経済的なクリップ式床面コンクリートレベル調整具を開発・提供する事にある。
【課題を解決するための手段】
【０００９】
この課題を解決する為の手段として、内面部に両面テープ等の粘着部材をそれぞれ貼着し、支点を中心に回動開閉させて縦筋部に固着する把持部と、把持部下端部の左右対称に位置し、且つ、片方の幅寸法を狭めて設けた把持部開閉用取手部と、取手部解放時に把持部を自然保持可能にする為、左右取手部間に連結係止して設けた弾性部材と、把持部の自然解放を防止する為、一方の取手裏面部に複数の係止用突起部をそれぞれ設け、且つ、他方の取手裏面部に上下移動可能な固定部材を固着して設けた把持部自然解放防止用開閉式固定部材と、幅広取手付根部の把持部長手方向に並設したレベル表示から成り、且つ、使用時は幅広取手側面部がコンクリート床面レベルに適合する様調整しながら、把持部を縦筋部に係止・固定して使用するものである。
【考案の効果】
【００１０】
この考案の効果として、内面部に両面テープ等の粘着部材をそれぞれ貼着し、支点を中心に回動開閉させて縦筋部に固着する把持部と、把持部下端部の左右対称に位置し、且つ、片方の幅寸法を狭めて設けた把持部開閉用取手部と、取手部解放時に把持部を自然保持可能にする為、左右取手部間に連結係止して設けた弾性部材と、把持部の自然解放を防止する為、一方の取手裏面部に複数の係止用突起部をそれぞれ設け、且つ、他方の取手裏面部に上下移動可能な固定部材を固着して設けた把持部自然解放防止用開閉式固定部材と、幅広取手付根部の把持部長手方向に並設したレベル表示から成り、且つ、使用時は幅広取手側面部がコンクリート床面レベルに適合する様調整しながら、把持部を縦筋部に係止・固定して使用する事で、作業性が良く、誰でも簡単、且つ、迅速に取り付けが出来、構造が単純で壊れ難く、経済的である等、極めて有益なる効果を奏するものである。
【考案を実施するための最良の形態】
【００１１】
この考案の最良の形態として、施工する際の鉄筋の外径寸法は、作業現場によって相違がある為、何処の作業現場でも使用可能な把持部の内径寸法に形成し、又、左右取手部の幅寸法相違代は、コンクリート傾斜角度を考慮した許容範囲内に設定する事が重要になる。
【実施例１】
【００１２】
そこで、この考案の一実施例を図１〜図３に基づいて詳述すると、家屋等の壁面に位置する縦筋に係止して使用するレベル調整具であって、該レベル調整具（１）は、内面部に両面テープ等の粘着部材（１ｃ’）（１ｄ’）をそれぞれ貼着し、支点（Ｐ）を中心に回動開閉させて縦筋（ＲＥ１）部に固着する把持部（１ｃ）（１ｄ）と、把持部（１ｃ）（１ｄ）下端部の左右対称に位置し、且つ、片方の幅寸法を狭めて設けた把持部開閉用取手部（１ａ）（１ｂ）と、取手部解放時に把持部（１ｃ）（１ｄ）を自然保持可能にする為、左右取手部間に連結係止して設けた弾性部材（１ｆ）と、把持部の自然解放を防止する為、一方の取手裏面部に複数の係止用突起部（１ｈ）をそれぞれ設け、且つ、他方の取手裏面部に上下移動可能な固定部材（１ｇ）を固着して設けた把持部自然解放防止用開閉式固定部材（１ｇ）と、幅広取手付根部の把持部（１ｃ）長手方向に並設したレベル表示（１ｅ）から成り、且つ、使用時は幅広取手側面部（１ａ’）がコンクリート床面のレベル（ＣＬ）に適合する様調整しながら、把持部（１ｃ）（１ｄ）を縦筋部（ＲＥ１）に係止・固定して使用する事を特徴とするクリップ式床面コンクリートレベル調整具から構成される。
【００１３】
次に、この考案の材質・寸法形状等、詳細について説明すると、まず材質は把持部内面に貼着する両面テープ等の粘着部材（１ｃ’）（１ｄ’）以外は全て樹脂で一体形成されている。そして、把持部（１ｃ）（１ｄ）の内径寸法は外形φ１０ｍｍφ、φ１３ｍｍ、φ１６ｍｍの何れの鉄筋でも把持可能な寸法に設定され、把持部の長さは５０ｍｍである。
【００１４】
又、把持部（１ｃ）（１ｄ）の下端部に固着し、把持部（１ｃ）（１ｄ）を開閉させる取手部（１ａ）（１ｂ）は図１（Ｂ）に示す様に、左右対称位置に設けられ、板厚寸法が約５ｍｍで、幅寸法は左側が２２ｍｍで右側が１６ｍｍで、長さは把持中心部から約８０ｍｍに形成されている。この左右の幅寸法を変えた目的は、傾斜面で使用する際、作業者がレベル基準を左右どちらに合わせれば良いか迷わない様にする為、左側の取手部（１ａ）を幅広にして合わせる基準を左側の幅広側に統一したものである。そして、左右取手部（１ａ）（１ｂ）表裏に設けた複数の凹凸部は剛性力を増す為に設けたものである。
【００１５】
又、左右の取手中間上部には、取手部解放時に把持部（１ｃ）（１ｄ）を自然保持可能にする為の弾性部材（１ｆ）を連結係止して設け、更に、左右の取手中間中程に把持部の自然解放を防止する為、一方の取手裏面部に幅約１５ｍｍの複数の係止用突起部（１ｈ）をそれぞれ設け、且つ、他方の取手裏面部に上下移動可能な幅約１５ｍｍの固定部材（１ｇ）を固着して設けた把持部自然解放防止用開閉式固定部材（１ｇ）を設けている。
【００１６】
そして、レベル調整具の設置場所を表示する為のレベル表示（１ｅ）を幅広取手付根部の把持部（１ｃ）長手方向に並設して設けている。レベル表示（１ｅ）の長さは、取手の中心部から約４１ｍｍで、レベル合わせ基準の幅広取手側面部（１ａ’）から約３０ｍｍに設定さている。
【００１７】
次に、この考案の取付方法について説明すると、図４に示す様に、仕上がり面であるコンクリート床面（ＣＬ）に合わせてレーザー光線の高さを調整し、レベル調整具（１）を縦筋（ＲＥ１）に一端仮固着し、そのレーザー光線の位置がレベル調整具の幅広取手側面部（１ａ’）と一致する様高さ調整しながら移動させ、位置が合ったら取手部（１ａ）（１ｂ）を解放し、把持部（１ｃ）（１ｄ）で固着する。
【実施例２】
【００１８】
その他の実施例として、通常の日常生活で良く使用する洗濯用クリップ方式を採用した鋼製Ｃ形リング式レベル調整具（１’）で、図５（Ａ）（Ｂ）に示す様に、把持部を固着する為の弾性部材（１ｆ’）に鋼製のＣ形リングを使用しても構わない。但し、実施例１に比較し、製造コスト的に若干高価になる可能性がある。
【産業上の利用可能性】
【００１９】
この考案のクリップ式床面コンクリートレベル調整具は、作業性が良く、誰でも簡単、且つ、迅速に取り付けが出来、構造が単純で壊れ難く、経済的である為、多くの土木建築
市場に寄与する点で産業上の利用可能性を有する。
【図面の簡単な説明】
【００２０】
【図１】この考案の一実施例を示し、（Ａ）は一部欠截平面図で、（Ｂ）は正面図である。
【図２】この考案の一実施例を示し、（Ａ）は左側面図で、（Ｂ）は右側面図である。
【図３】この考案の一実施例を示し、（Ａ）は図１（Ｂ）のａ−ａ矢視断面図で、（Ｂ）は図１（Ｂ）のｂ−ｂ矢視断面図である。
【図４】この考案の使用例を示し、一部欠截側面図である。
【図５】その他の実施例を示し、（Ａ）は鋼製Ｃ形リング式レベル調整具の一部欠截平面図で、（Ｂ）は正面図である。
【符号の説明】
【００２１】
１  レベル調整具
１’  鋼製Ｃ形リング式レベル調整具
１ａ  取手部（幅広側）
１ａ’  幅広取手側面部
１ｂ  取手部（幅狭側）
１ｃ  把持部
１ｃ’  粘着部材
１ｄ  把持部
１ｄ’  粘着部材
１ｅ  レベル表示
１ｆ  弾性部材
１ｆ’  弾性部材（鋼製Ｃ形リング）
１ｇ  固定部材
１ｈ  係止用突起部
ＣＬ  コンクリート床面レベル
Ｐ  支点
ＲＥ１  縦筋
ＲＥ２  横筋
【図１】
0003121330.tif 000003
【図２】
0003121330.tif 000004
【図３】
0003121330.tif 000005
【図４】
0003121330.tif 000006
【図５】
0003121330.tif 000007